【手続補正書】
【提出日】平成23年8月1日(2011.8.1)
【手続補正１】
【補正対象書類名】特許請求の範囲
【補正対象項目名】全文
【補正方法】変更
【補正の内容】
【特許請求の範囲】
【請求項１】
外部近接物体を検出する検出機能を有し、表示パネル上に表示された画像を指定可能な入力パネルと、
前記入力パネルにより得られた外部近接物体の検出信号に基づいて、前記外部近接物体の位置および面積値を検出する検出部と、
前記表示パネル上の、前記外部近接物体の検知位置により指定されて表示されている表示対象物の大きさが、前記外部近接物体の検知された面積値に応じて変化するように、前記表示対象物を含む画像を表示させるための表示データを生成する画像生成部と
を備えた情報入力装置。
【請求項２】
前記画像生成部は、前記面積値の時間変化量が所定の範囲内に維持されているときの面積値である飽和面積値を保持すると共に、この飽和面積値に対する面積値の変化率に応じて前記表示対象物の大きさが変化するように、前記表示データを生成する
請求項１に記載の情報入力装置。
【請求項３】
画像生成部は、
前記面積値の変化率が所定の上限閾値よりも大きいときには、前記表示対象物の大きさが拡大するように前記表示データを生成し、
前記面積値の変化率が所定の下限閾値よりも小さいときには、前記表示対象物の大きさが縮小するように前記表示データを生成し、
前記面積値の変化率が前記下限値以上かつ前記上限値以下であるときには、前記表示対象物の大きさがそのままに保持されるように前記表示データを生成する
請求項２に記載の情報入力装置。
【請求項４】
前記画像生成部において、前記表示対象物を拡大させる際の拡大率および縮小させる際の縮小率が、それぞれ、固定値となっている
請求項３に記載の情報入力装置。
【請求項５】
前記画像生成部において、前記表示対象物を拡大させる際の拡大率および縮小させる際の縮小率が、それぞれ、前記面積値の変化率に応じた変動値となっている
請求項３に記載の情報入力装置。
【請求項６】
前記上限閾値および前記下限閾値がそれぞれ、前記表示対象物の表示サイズを変化させる際の感度の設定値に応じて、変化するようになっている
請求項３ないし請求項５のいずれか１項に記載の情報入力装置。
【請求項７】
前記画像生成部は、前記外部近接物体の検知位置とは離れた領域に前記表示対象物が表示されるように、前記表示データを生成する
請求項１ないし請求項６のいずれか１項に記載の情報入力装置。
【請求項８】
前記画像生成部は、時間軸に沿った得られた複数の面積検出値の平均値を、前記面積値として用いる
請求項１ないし請求項７のいずれか１項に記載の情報入力装置。
【請求項９】
前記入力パネルが、撮像面に沿って配列され、前記外部近接物体で反射された光を受光する複数の受光要素を有するものである
請求項１ないし請求項８のいずれか１項に記載の情報入力装置。
【請求項１０】
前記入力パネルが、
互いに対向する第１基板および第２基板と、
前記第１基板と前記第２基板との間に形成され、前記外部近接物体の接触圧力による前記第２基板のたわみにより互いに接触可能な第１センサ電極および第２センサ電極と
を有すると共に、
前記第１センサ電極および前記第２センサ電極の接触による電位の変化に基づき、前記外部近接物体の接触位置に応じた前記第２基板のたわみ位置を検出するものである
請求項１ないし請求項８のいずれか１項に記載の情報入力装置。
【請求項１１】
表示パネル上に表示された画像を指定可能な入力パネルにより得られた外部近接物体の検出信号に基づいて、前記外部近接物体の位置および面積値を検出し、
前記表示パネル上の、前記外部近接物体の検知位置により指定されて表示されている表示対象物の大きさが、前記外部近接物体の検知された面積値に応じて変化するように、前記表示対象物を含む画像を表示させるための表示データを生成する
情報入力方法。
【請求項１２】
外部近接物体を検出する検出機能と画像表示機能とを有する入出力パネルと、
前記入出力パネルにより得られた外部近接物体の検出信号に基づいて、前記外部近接物体の位置および面積値を検出する検出部と、
前記入出力パネル上の、前記外部近接物体の検知位置により指定されて表示されている表示対象物の大きさが、前記外部近接物体の検知された面積値に応じて変化するように、前記表示対象物を含む画像を表示させるための表示データを生成する画像生成部と
を備え、
前記入出力パネルにおいて、前記表示データに基づいて前記表示対象物を含む画像を表示する
情報入出力装置。
【請求項１３】
前記入出力パネルが、
表示面に沿って配列され、画像データに基づいて画像を表示する複数の表示要素と、
前記表示面に沿って配列され、前記表示面から出射されて前記外部近接物体で反射された光を受光する複数の受光要素と
を有するものである
請求項１２に記載の情報入出力装置。
【請求項１４】
前記入出力パネルが、
第１基板および第２基板と、これらの第１基板および第２基板の間に設けられた液晶層とを有する表示パネルと、
前記表示パネル内に形成され、前記外部近接物体の接触圧力による前記第２基板のたわみにより互いに接触可能な第１センサ電極および第２センサ電極と
を有すると共に、
前記第１センサ電極および前記第２センサ電極の接触による電位の変化に基づき、前記外部近接物体の接触位置に応じた前記第２基板のたわみ位置を検出し、前記表示パネルにおいて画像表示を行うものである
請求項１２に記載の情報入出力装置。
【請求項１５】
表示パネル上に表示された画像を指定可能な入力パネルにより得られた外部近接物体の検出信号に基づいて、前記外部近接物体の位置および面積値を検出するステップと、
前記表示パネル上の、前記外部近接物体の検知位置により指定されて表示されている表示対象物の大きさが、前記外部近接物体の検知された面積値に応じて変化するように、前記表示対象物を含む画像を表示させるための表示データを生成するステップと
をコンピュータに実行させる情報入力プログラム。
【手続補正２】
【補正対象書類名】明細書
【補正対象項目名】０００８
【補正方法】変更
【補正の内容】
【０００８】
本発明の情報入力装置は、外部近接物体を検出する検出機能を有し、表示パネル上に表示された画像を指定可能な入力パネルと、この入力パネルにより得られた外部近接物体の検出信号に基づいて、外部近接物体の位置および面積値を検出する検出部と、表示パネル上の、外部近接物体の検知位置により指定されて表示されている表示対象物の大きさが、外部近接物体の検知された面積値に応じて変化するように、表示対象物を含む画像を表示させるための表示データを生成する画像生成部とを備えたものである。
【手続補正３】
【補正対象書類名】明細書
【補正対象項目名】０００９
【補正方法】変更
【補正の内容】
【０００９】
本発明の情報入力方法は、表示パネル上に表示された画像を指定可能な入力パネルにより得られた外部近接物体の検出信号に基づいて、外部近接物体の位置および面積値を検出し、表示パネル上の、外部近接物体の検知位置により指定されて表示されている表示対象物の大きさが、外部近接物体の検知された面積値に応じて変化するように、表示対象物を含む画像を表示させるための表示データを生成するようにしたものである。
【手続補正４】
【補正対象書類名】明細書
【補正対象項目名】００１０
【補正方法】変更
【補正の内容】
【００１０】
本発明の情報入出力装置は、外部近接物体を検出する検出機能と画像表示機能とを有する入出力パネルと、この入出力パネルにより得られた外部近接物体の検出信号に基づいて、外部近接物体の位置および面積値を検出する検出部と、入出力パネル上の、外部近接物体の検知位置により指定されて表示されている表示対象物の大きさが、外部近接物体の検知された面積値に応じて変化するように、表示対象物を含む画像を表示させるための表示データを生成する画像生成部とを備えると共に、上記入出力パネルにおいて、表示データに基づいて表示対象物を含む画像を表示するようにしたものである。
【手続補正５】
【補正対象書類名】明細書
【補正対象項目名】００１１
【補正方法】変更
【補正の内容】
【００１１】
本発明の情報入力プログラムは、表示パネル上に表示された画像を指定可能な入力パネルにより得られた外部近接物体の検出信号に基づいて、外部近接物体の位置および面積値を検出するステップと、表示パネル上の、外部近接物体の検知位置により指定されて表示されている表示対象物の大きさが、外部近接物体の検知された面積値に応じて変化するように、表示対象物を含む画像を表示させるための表示データを生成するステップとをコンピュータに実行させるようにしたものである。
【手続補正６】
【補正対象書類名】明細書
【補正対象項目名】００１２
【補正方法】変更
【補正の内容】
【００１２】
本発明の情報入力装置、情報入力方法、情報入出力装置および情報入力プログラムでは、入力パネルまたは入出力パネルにより得られた外部近接物体の検出信号に基づいて、外部近接物体の位置および面積値が検出される。そして、表示パネル上または入出力パネル上の、外部近接物体の検知位置により指定されて表示されている表示対象物の大きさが、外部近接物体の検知された面積値に応じて変化するように、表示対象物を含む画像を表示させるための表示データが生成される。
【手続補正７】
【補正対象書類名】明細書
【補正対象項目名】００１３
【補正方法】変更
【補正の内容】
【００１３】
本発明の情報入力装置、情報入力方法、情報入出力装置または情報入力プログラムによれば、入力パネルまたは入出力パネルにより得られた外部近接物体の検出信号に基づいて、外部近接物体の位置および面積値を検出すると共に、表示パネル上または入出力パネル上の、外部近接物体の検知位置により指定されて表示されている表示対象物の大きさが、外部近接物体の検知された面積値に応じて変化するように、表示対象物を含む画像を表示させるための表示データを生成するようにしたので、外部近接物体に関する情報の入力に応じて、利便性の高い処理を行うことが可能となる。
【手続補正８】
【補正対象書類名】明細書
【補正対象項目名】００１５
【補正方法】変更
【補正の内容】
【００１５】
図１は、本発明の一実施の形態に係る情報入出力装置１の概略構成を表すものである。また、図２は、本実施の形態に係る情報入出力装置１の詳細構成を表すものである。また、図３は、入出力パネルの一部を拡大した断面を表すものである。本実施の形態に係る情報入出力装置１は、図１に示すように、ディスプレイ１０と、このディスプレイ１０を利用する電子機器本体２０とを備えたものである。ディスプレイ１０は、入出力パネル１１、表示信号処理部１２、受光信号処理部１３および画像処理部１４を有し、電子機器本体２０は、制御部２１を有する。なお、本発明の一実施の形態に係る情報入力方法および情報入力プログラムは、本実施の形態の情報入出力装置１において具現化されるため、以下併せて説明する。
【手続補正９】
【補正対象書類名】明細書
【補正対象項目名】００２６
【補正方法】変更
【補正の内容】
【００２６】
画像処理部１４（図１）は、受光信号処理部１３の後段に接続され、受光信号処理部１３から検出画像を取り込んで、２値化やノイズ除去、ラベリング等の処理を行い、外部近接物体の点情報、すなわち外部近接物体の重心や中心座標、および外部近接物体の領域（サイズや形状）を示す情報を得る回路である。具体的には、画像処理部１４におけるラベリング処理部（図示せず）は、ラベリング処理を行うことにより、検出画像全体についてのラベル情報（検出画像内における連結領域ごとの識別番号を示す情報）、連結領域ごとの位置情報および面積情報をそれぞれ取得するようになっている。
【手続補正１０】
【補正対象書類名】明細書
【補正対象項目名】００３０
【補正方法】変更
【補正の内容】
【００３０】
また、この制御部２１は、例えば図４に示したように、外部近接物体であるユーザの指８等を入出力パネル１１へ接触させる場合において、検知された指８等の面積情報に基づいて、表示データを生成するものである。具体的には、指８等によって入出力パネル１１へ接触した際に、押圧（接触圧力）に応じて指８等の検知面積が変化することを利用している。この制御部２１は、画像処理部１４（位置検出部４７）により得られた指８等の位置情報および面積情報を用いて、その指８等の面積値に応じてこの指８等により指定された表示対象物の大きさが変化するように表示データを生成し、その表示データを表示信号処理部１２へ供給するようになっている。そして、入出力パネル１１では、このようにして生成された表示データに基づいて、指８等により指定された表示対象物を含む画像の表示が行われるようになっている。なお、この制御部２１が、本発明における「画像生成部」の一具体例に対応する。
【手続補正１１】
【補正対象書類名】明細書
【補正対象項目名】００５２
【補正方法】変更
【補正の内容】
【００５２】
このようにして本実施の形態の表示データの生成処理では、入出力パネル１１により得られた外部近接物体の受光信号に基づいて、受光信号処理部１３および画像処理部１４により、外部近接物体の位置情報および面積情報がそれぞれ取得される。そして、制御部２１では、例えば前述の図４、図６および図７に示したようにして、取得された位置情報および面積情報を用いて、外部近接物体の面積値に応じてこの外部近接物体により指定された表示対象物の大きさが変化するように、表示データが生成される。そして、入出力パネル１１では、このようにして生成された表示データに基づいて、指定された表示対象物を含む画像の表示が行われる。
【手続補正１２】
【補正対象書類名】明細書
【補正対象項目名】００５３
【補正方法】変更
【補正の内容】
【００５３】
これにより、例えば図８（Ａ）に示したように、入出力パネル１１上に表示された表示対象物Ｐ１に対して外部近接物体（指８）が接触（図中の符号Ｐ３２参照）したときに、この表示対象物Ｐ１が入出力パネル１１上で拡大表示される（図中の符号Ｐ１１参照）ような、アプリケーションの実行が可能となる。また、例えば図８（Ｂ）に示したように、入出力パネル１１上に表示された表示対象物Ｐ１に対して外部近接物体（指８）がさらに押し付けたとき（図中の符号Ｐ３３参照）に、この表示対象物Ｐ１が入出力パネル１１上でさらに拡大表示される（図中の符号Ｐ１２参照）ような、アプリケーションの実行も可能となる。一方、例えば図９（Ａ）に示したように、入出力パネル１１上に表示された表示対象物Ｐ２に対して外部近接物体（指８）が接触（図中の符号Ｐ３２参照）したときに、この表示対象物Ｐ２が入出力パネル１１上で拡大表示される（図中の符号Ｐ２１参照）ような、アプリケーションの実行が可能となる。また、例えば図９（Ｂ）に示したように、入出力パネル１１上に表示された表示対象物Ｐ２に対して外部近接物体（指８）がさらに押し付けたとき（図中の符号Ｐ３３参照）に、この表示対象物Ｐ２が入出力パネル１１上でさらに拡大表示される（図中の符号Ｐ２２参照）ような、アプリケーションの実行も可能となる。ここで、この際に、図８および図９に示したように、制御部２１は、画像処理部１４（位置検出部４７）により得られた位置情報を用いて、入出力パネル１１上において外部近接物体の検知位置とは離れた領域に表示対象物Ｐ１，Ｐ２等が表示されるように、表示データを生成するのが好ましい。なお、図８および図９に示したようなアプリケーションの他にも、表示対象物の音量や、画像輝度（濃淡）、コントラスト、色合いバランスなどが変化するようにしたり、数値（パラメータ）入力などを行うようなアプリケーションに適用するようにしてもよい。
【手続補正１３】
【補正対象書類名】明細書
【補正対象項目名】００６０
【補正方法】変更
【補正の内容】
【００６０】
また、本発明の情報入出力装置は、上記実施の形態で説明した情報入出力装置１だけでなく、例えば図１０に示したような情報入出力装置２にも適用することが可能である。この情報入出力装置２は、上記実施の形態に係る情報入出力装置１と比較して、画像処理部１４が電子機器本体２０に設けられた点が異なっている。すなわち、この情報入出力装置２は、表示信号処理部１２、入出力パネル１１および受光信号処理部１３がディスプレイ１０に設けられ、制御部２１および画像処理部１４が電子機器本体２０に設けられたものである。このような情報入出力装置２であっても、上記実施の形態に係る情報入出力装置１と同様の効果を奏することができる。